(57)【要約】【課題】パイプの端面を曲面で切断する必要がなく、コーナーパイプの曲げ加工が不要で垂直支柱パイプを２本必要とせず、溶接箇所が少なくパイプ手摺の組み立てを容易にするパイプ手摺用コーナー金具を提供する。【解決手段】両端面４、５にそれぞれ水平パイプ６、７が接続される９０°エルボ２の湾曲部の下面に、垂直支柱パイプ９を接続するための短い垂直連結管３を、２本の水平パイプ６、７の中心線と垂直支柱パイプ９の中心線とが一点で直交するように接続した。これにより、中桟を構成する水平パイプ１１、１２を従来のように曲げることなく直線状のまま延長して、その先端部を垂直支柱パイプ９に溶接することができる。【選択図】図１
2006002522.tif 000002
【特許請求の範囲】
【請求項１】
両端面にそれぞれ水平パイプが接続される９０°エルボの湾曲部の下面に、垂直支柱パイプを接続するための垂直連結管を、２本の水平パイプの中心線と垂直支柱パイプの中心線とが一点で直交するように接続したことを特徴とするパイプ手摺用コーナー金具。
【発明の詳細な説明】
【技術分野】
【０００１】
本発明は、パイプにより手摺を組み立てる際に用いるパイプ手摺用コーナー金具に関するものである。
【背景技術】
【０００２】
工場などの建屋内等に設置される手摺は、強度、耐久性、美観、コスト等の点で優れていることからパイプの溶接構造としたものが一般的である。そのコーナー部では図１１、１２に示すように上桟を構成する２本の水平パイプ３１、３２が９０°エルボ３３で連結されている。手摺の高さは床面から1100〜1200ｍｍ程度とするのが普通であり、上桟を構成する２本の水平パイプ３１、３２の下方には転落防止のための中桟を構成する水平パイプ３４、３５が通常２〜３本程度平行に設けられている。
【０００３】
これらの上桟を構成する２本の水平パイプ３１、３２及び中桟を構成する水平パイプ３４、３５はコーナー部に設けた垂直支柱パイプの上端に溶接されるのであるが、垂直支柱パイプをコーナーに設けてエルボ３３の中央下面に溶接すると、垂直支柱パイプは上桟を構成する２本の水平パイプ３１、３２の中心線の交点よりもやや内側にずれることになる。従って、中桟を構成する水平パイプ３４、３５を直接垂直支柱パイプに溶接しようとしても、垂直支柱パイプがやや内側にずれた分だけ溶接が不可能であった。
【０００４】
そのため、図１１、１２に示すようにコーナー近くに２本の垂直支柱パイプ３６、３７を設けてこれらに上桟を構成する２本の水平パイプ３１、３２と中桟を構成する水平パイプ３４、３５を溶接固定し、垂直支柱パイプ３６、３７間のコーナー部にはパイプベンダーにより円弧状に曲げて製作したコーナーパイプ３８を溶接固定する方法によりコーナー部を形成していた。
【０００５】
このため従来は、コーナー付近に２本の垂直支柱パイプ３６、３７が必要であること、コーナーパイプ３８をパイプベンダーで曲げ加工するために時間と手間を要すること、溶接箇所が多いことから組み立てが困難でコストが嵩むという問題があった。また、垂直支柱パイプ３６、３７の上端面は強度上上桟を構成する２本の水平パイプ３１、３２の曲面に合わせて円弧状に切断する必要があり、煩雑な手数を要するという問題があった。
【０００６】
このほか例えば特許文献１には、エルボ（型継手）とチーズ（型継手）とを用いて構成されたパイプ手摺が記載されているが、２種類の金具を必要として構造が複雑になるうえ、垂直支柱パイプと水平パイプとの位置がずれることになり、外周面に段差が生じて美観を損ねるという問題があった。
【特許文献１】登録実用新案第３０４１２１８号公報
【発明の開示】
【発明が解決しようとする課題】
【０００７】
本発明は上記の問題点を解決し、パイプの端面を曲面で切断する必要がなく、コーナーパイプの曲げ加工が不要で垂直支柱パイプを２本必要とせず、溶接箇所が少なくパイプ手摺の組み立てを容易にするパイプ手摺用コーナー金具を提供するためになされたものである。
【課題を解決するための手段】
【０００８】
上記の問題を解決するためになされた本発明のパイプ手摺用コーナー金具は、両端面にそれぞれ水平パイプが接続される９０°エルボの湾曲部の下面に、垂直支柱パイプを接続するための垂直連結管を、２本の水平パイプの中心線と垂直支柱パイプの中心線とが一点で直交するように接続したことを特徴とするものである。
【発明の効果】
【０００９】
本発明のパイプ手摺用コーナー金具は、両端面にそれぞれ上桟を構成する２本の水平パイプが接続される９０°エルボの湾曲部の下面に、垂直支柱パイプを接続するための垂直連結管を、２本の水平パイプの中心線と垂直パイプの中心線とが一点で直交するように接続したものであるから、中桟を構成する水平パイプを直線状のまま延長し、垂直支柱パイプに溶接することができる。
【００１０】
このため従来のようにパイプベンダーにより曲げ加工を行ってコーナーパイプを製作する必要がなく、垂直支柱パイプも１本でよく、溶接箇所が少なくてすむ。また垂直支柱パイプの上端面も水平に切断して溶接すればよい。このためパイプ手摺の製作を従来よりもはるかに短時間で、低コストで行うことができる。更に２本の水平パイプの中心線と垂直支柱パイプの中心線とを一致させたパイプ手摺となるので、コーナー部の外観に優れたものとなる利点がある。
【発明を実施するための最良の形態】
【００１１】
次に、本発明を実施するための最良の形態について、図を参照しながら具体的に説明する。
図１〜図４は本発明のパイプ手摺用コーナー金具１を示す図であり、図５はそのパイプ手摺用コーナー金具１を用いて組み立てたパイプ手摺の一部を示す図である。本発明のパイプ手摺用コーナー金具１は９０°エルボ２とその湾曲部の下面に接続された垂直連結管３とから構成されている。
【００１２】
９０°エルボ２は、その両端面４、５に上桟を構成する２本の水平パイプ６、７を溶接により接続するためのものである。また垂直連結管３は、その下端面８に垂直支柱パイプ９の端面を溶接により接続するためのものである。本発明のパイプ手摺用コーナー金具１は、垂直連結管３の下端に接続される垂直支柱パイプ９の中心線ｃが上桟を構成する２本の水平パイプ６、７の中心線ａ、ｂと一点Ｐにおいて直交するように、垂直連結管３を接続してある。９０°エルボ２と垂直連結管３の接続は溶接により行うことができ、一体に鋳造することも可能である。
【００１３】
このようなパイプ手摺用コーナー金具１は、図５、６に示すように床面１０に固定された垂直支柱パイプ９の上端に、垂直連結管３の下端面８を突き合わせて溶接し、また９０°エルボ２の両端面４、５に、上桟を構成する２本の水平パイプ６、７を溶接する。このとき図７に示すように垂直支柱パイプ９の中心線が２本の水平パイプ６、７の中心線と一点Ｐにおいて直交することになる。このため中桟を構成する水平パイプ１１、１２を従来のように曲げることなく直線状のまま延長して、その先端部を垂直支柱パイプ９に溶接することができる。
【００１４】
そのため従来のようにパイプベンダーにより曲げ加工を行ってコーナーパイプを製作する必要がなく、また従来コーナー部に２本設けていた垂直支柱パイプはコーナーの１本のみでよく、溶接箇所が少なくてすむから組み立てが容易になり、施工時間の短縮とコストダウンを図ることができる。更に各パイプの端面は湾曲状に切断することなく、直に切断したまま溶接すればよい。これによりパイプ手摺の製作を従来よりもはるかに短時間で、低コストで行うことができる。
【００１５】
図８〜１０は別の実施の形態のパイプ手摺用コーナー金具２１を示す図である。このパイプ手摺用コーナー金具２１も図１〜４に示すものと同様に９０°エルボ２２とその湾曲部の下面に接続された垂直連結管２３とから構成されている。９０°エルボ２２は、その両端面２４、２５に上桟を構成する２本の水平パイプ６、７を溶接により接続するためのものであり、垂直連結管２３はその下端面２８に垂直支柱パイプ９の端面を溶接により接続するためのものである。９０°エルボ２２と垂直連結管２３の接続は溶接により行うことができ、一体に鋳造することも可能である。
【００１６】
このパイプ手摺用コーナー金具２１も垂直連結管２３の下端に接続される垂直支柱パイプ９の中心線ｃが２本の水平パイプ６、７の中心線ａ、ｂと一点Ｐにおいて直交するように、垂直連結管２３が９０°エルボ２２に接続してある。９０°エルボ２２は曲げ半径を大きなものとしてあり、垂直連結管２３は湾曲させて９０°エルボ２２の下面に接続してある。これにより垂直連結管２３が９０°エルボ２２の湾曲部の外周面から外側にずらせて接続されたような外観を呈し、意匠上優れたものとなる。
【００１７】
このパイプ手摺用コーナー金具２１を用いて手摺を製作した場合にも、上桟を構成する水平パイプ６、７、垂直支柱パイプ９及び中桟を構成する水平パイプ１１、１２の各パイプは、図１〜４に示すパイプ手摺用コーナー金具１を用いた場合と同様に組み立てられることになる。
【図面の簡単な説明】
【００１８】
【図１】本発明のパイプ手摺用コーナー金具を下方から見た斜視図である。
【図２】パイプ手摺用コーナー金具の平面図である。
【図３】パイプ手摺用コーナー金具の正面図である。
【図４】パイプ手摺用コーナー金具の側面図である。
【図５】本発明のパイプ手摺用コーナー金具を用いて組み立てられた手摺のコーナー部を示す斜視図である。
【図６】本発明のパイプ手摺用コーナー金具を用いて組み立てられた手摺の斜視図である。
【図７】コーナー部の平面図である。
【図８】別の実施の形態のパイプ手摺用コーナー金具の平面図である。
【図９】別の実施の形態のパイプ手摺用コーナー金具の正面図である。
【図１０】別の実施の形態のパイプ手摺用コーナー金具の側面図である。
【図１１】従来のパイプ手摺の斜視図である。
【図１２】従来のパイプ手摺の平面図である。
【符号の説明】
【００１９】
１  パイプ手摺用コーナー金具
２  ９０°エルボ
３  垂直連結管
４  ９０°エルボの端面
５  ９０°エルボの端面
６  上桟を構成する水平パイプ
７  上桟を構成する水平パイプ
８  垂直連結管の下端面
９  垂直支柱パイプ
１０  床面
１１  中桟を構成する水平パイプ
１２  中桟を構成する水平パイプ
２１  パイプ手摺用コーナー金具
２２  ９０°エルボ
２３  垂直連結管
２４  ９０°エルボの端面
２５  ９０°エルボの端面
２８  垂直連結管の下端面
【図１】
2006002522.tif 000003
【図２】
2006002522.tif 000004
【図３】
2006002522.tif 000005
【図４】
2006002522.tif 000006
【図５】
2006002522.tif 000007
【図６】
2006002522.tif 000008
【図７】
2006002522.tif 000009
【図８】
2006002522.tif 000010
【図９】
2006002522.tif 000011
【図１０】
2006002522.tif 000012
【図１１】
2006002522.tif 000013
【図１２】
2006002522.tif 000014